(57)【要約】【課題】  縦枠のないサッシ枠を障子の収まりに適した状態に配設できるサッシ枠の施工方法および下枠吊り冶具を提供することにある。【解決手段】  間口部に上枠を取り付け、上下枠間の寸法と略一致する長さを有する複数の下枠吊り冶具により上枠から下枠を吊り下げて下枠の周りにコンクリートを打ち、コンクリートの硬化後に上枠と下枠から下枠吊り冶具を取り外すことを特徴とする。【選択図】      図１
2008008046.tif 000002
【特許請求の範囲】
【請求項１】
間口部に上枠を取り付け、上下枠間の寸法と略一致する長さを有する複数の下枠吊り冶具により上枠から下枠を吊り下げて下枠の周りにコンクリートを打ち、コンクリートの硬化後に上枠と下枠から下枠吊り冶具を取り外すことを特徴とするサッシ枠の施工方法。
【請求項２】
上枠は、上向きに突出したガイドレールを有するものであり、下枠吊り冶具は、ガイドレールに係脱自在に係止することを特徴とする請求項１記載のサッシ枠の施工方法。
【請求項３】
棒材と上枠係止具と下枠取付具とを備え、上下枠間の寸法と略一致する長さを有しており、棒材は、上端を上枠係止具に、下端を下枠取付具に着脱自在であり、上枠係止具は、上枠に係脱自在であり、下枠取付具は、下枠に着脱自在であることを特徴とする下枠吊り冶具。
【発明の詳細な説明】
【技術分野】
【０００１】
本発明は、縦枠がなく上枠と下枠のみを有するサッシ枠の施工方法と、本施工方法に使用する下枠吊り冶具に関するものである。
【背景技術】
【０００２】
上枠と下枠のみを有するサッシ枠の場合は、縦枠がないことから、戸（障子）をスムーズに開け閉めできるように、上枠と下枠の取付位置を正確に合わせて取り付けることは容易なことではなかった。
【発明の開示】
【発明が解決しようとする課題】
【０００３】
本発明は以上に述べたような実情に鑑み、縦枠のないサッシ枠を障子の収まりに適した状態に配設できるサッシ枠の施工方法および本施工方法に使用する下枠吊り冶具を提供することにある。
【課題を解決するための手段】
【０００４】
本発明のうち請求項１記載の発明は、間口部に上枠を取り付け、上下枠間の寸法と略一致する長さを有する複数の下枠吊り冶具により上枠から下枠を吊り下げて下枠の周りにコンクリートを打ち、コンクリートの硬化後に上枠と下枠から下枠吊り冶具を取り外すことを特徴とする。
【０００５】
本発明のうち請求項２記載の発明では、上枠は、上向きに突出したガイドレールを有するものであり、下枠吊り冶具は、ガイドレールに係脱自在に係止することを特徴とする。
【０００６】
本発明のうち請求項３記載の発明は、棒材と上枠係止具と下枠取付具とを備え、上下枠間の寸法と略一致する長さを有しており、棒材は、上端を上枠係止具に、下端を下枠取付具に着脱自在であり、上枠係止具は、上枠に係脱自在であり、下枠取付具は、下枠に着脱自在であることを特徴とする。
【発明の効果】
【０００７】
本発明の施工方法および下枠吊り冶具によれば、上枠から下枠を吊り下げることにより、縦枠のないサッシ枠の場合でも容易に施工できる。また本発明の下枠吊り冶具によれば、棒材の上端に取り付けた上枠係止具を上枠に係脱自在に係止し、棒材の下端に取り付けた下枠取付具を下枠に着脱自在に取り付けるものであるから、施工時には上下枠間に取り付けやすく、施工後には上下枠間から下枠吊り冶具を簡単に取り外すことができる。また、施工現場の高さに合わせて棒材のみを交換すれば、上枠係止具と下枠取付具は共通のものを使用できる。
【発明を実施するための最良の形態】
【０００８】
以下、本発明のサッシ枠の施工方法の実施形態を図面に基づいて説明する。図１は、本発明のサッシ枠の施工方法における下枠吊り冶具５を使用したときの全体を示す斜視図であり、図２（ａ）（ｂ）（ｃ）（ｄ）（ｅ）は、本発明のサッシ枠の施工方法の手順を示す説明図であり、図３（ａ）は、本発明の施工方法により完成したサッシ枠（上吊り戸を収めた状態）の横断面図、図３（ｂ）は縦断面図であり、図４（ａ）（ｂ）は、下枠吊り冶具５を下枠３に取り付ける他の例を示すものである。本施工方法では、図３（ａ）（ｂ）のように、開口部Ｒに、上枠１と下枠３のみを有する縦枠のないサッシ枠を取り付けるものであり、このような縦枠のないサッシ枠であっても、上枠１と下枠３の高さ方向および出入り方向の位置関係をとり、上枠１のガイドレール２に上吊り戸４ａ，４ｂ，４ｃ上端のローラー２０を走行する一方、下枠３のレール溝１５に上吊り戸４ａ，４ｂ，４ｃ下端のピポット２１の摺動をガイドして、上吊り戸４ａ，４ｂ，４ｃを上下枠１，３間に垂直な状態で取り付ける必要がある。本施工方法では、上枠係止具６と棒材７と下枠取付具８とからなる下枠吊り冶具５を使用するものであり、まず開口部Ｒに上枠１を取り付け、上枠１の垂直状のガイドレール２における平面視した四隅位置から４本の下枠吊り冶具５により下枠３を水平な状態で吊り下げ、下枠３の脚部２２にコンクリート２８を打って硬化した後、上枠１と下枠３から下枠吊り冶具５を取り外して施工を完了するものである。
【０００９】
下枠吊り冶具５は図１のように、棒材７の長手方向の一方側と他方側に、上枠係止具６と下枠取付具８を取り付けて上下枠１，３間の寸法と略一致する長さに形成するものである。棒材７は、断面形状が方形筒型をなす型材を用いており、棒材７の長手方向の一方側の端部側周壁と他方側の端部側周壁には、取付用ネジ孔２４と横長孔２５が垂直方向に間隔をあけて配設してあり、取付用ネジ孔２４は、取付用ネジ１３ａを水平方向に通して下枠取付具８を棒材７にネジ止めするためのものであり、横長孔２５は、上枠１に下枠吊り冶具５を係止して下枠３を吊り下げた状態にあるときには、水平方向に長く形成するものであり、横長孔２５には、後で説明する上枠係止具６の係止爪１０ａ，１０ａを係止して、上枠係止具６を着脱可能に取り付けることができる。取付用ネジ孔２４と横長孔２５は、棒材７の長手方向の一方側端部と他方側端部に対称な位置関係となるように配設してあり、これにより棒材７の上下どちらを上側・下側にしても使用できる。尚、横長孔２５は、係止爪１０ａ，１０ｂを係合できるものであればよいから、必ずしも本実施形態のように貫通していなくてもよい。
【００１０】
上枠係止具６は、上枠１の上向きに突出した垂直状のガイドレール２に対して、上側から引っ掛けることのできる下向きの凹部Ｐを有した鉤状をなす係止部９を有しており、上枠係止具６の下部１０は、棒材７の長手方向一方側の端部側周壁を外側から挟むことのできる下向きコ字型をなしており、棒材７の端部側周壁と対面する上枠係止具下部１０の垂下片には、棒材７の横長孔２５，２５に係止できる係止爪１０ａ,１０ａを向き合わせて突出している。
【００１１】
下枠取付具８は、棒材７の下側の筒孔内に差込み可能な板状をなす垂直な着脱部１１と、着脱部１１の下縁部から水平方向に屈曲した板状をなす下枠３との当接部１２とを有しており、全体を略Ｌ字型に形成するものである。着脱部１１は、垂直方向に間隔をあけた二箇所に調整用ネジ孔２３ａ,２３ｂを有しており、上側の調整用ネジ孔２３ａは、当接部１２をレール溝１５の底部Ｕに取り付けるときに使用するものであり、下側の調整用ネジ孔２３ｂは、下枠３のレール溝１５の底部Ｕに錠座１４が取り付けてある場合に使用するものであり、下枠３に取り付ける部品や下枠３の形状に合わせて、上側と下側の調整用ネジ孔２３ａ，２３ｂのいずれかと棒材７の取付用ネジ孔２４とを一致して取付用ネジ１３ａをネジ止めし、下枠取付具８と棒材７とを着脱自在に取り付けるものである。当接部１２は、下枠３のレール溝１５の底部Ｕに対して垂直方向に対面して面状に当接するとともに、底部Ｕに当接したときのレール溝１５の上吊り戸４ａ，４ｂ，４ｃの走行方向側の一端側には切欠部２６を有しており、下枠取付具８を切欠部２６にて下枠３に錠座固定用ネジ１３ｂまたは固定用ネジ１３ｃでネジ止めしている。切欠部２６は、錠座固定用ネジ１３ｂおよび固定用ネジ１３ｃのネジ部の径よりも僅かに切欠幅を広く設けてあり、これにより、当接部１２を底部Ｕに沿ってスライドして切欠部２６により固定用ネジ１３ｃのネジ部を挟むことができるので、当接部１２が下枠３に取り付け易くなっている。本発明の下枠吊り冶具５は、棒材７に上枠係止具６と下枠取付具８を着脱できるものであるから、現場の高さに合わせて下枠吊り冶具５の棒材７のみを取り替えることで、上枠係止具６や下枠取付具８は共通のものを使用することもできる。
【００１２】
本発明のサッシ枠の施工方法における作業の手順を図２（ａ）（ｂ）（ｃ）（ｄ）（ｅ）に基づいて以下に説明する。
尚、ここでは三枚建て用のサッシ枠を例として挙げるものである。
まず第１の工程として、開口部Ｒに上枠１を取り付ける手順ついて説明すると、図２（ａ）および図４（ｂ）のように、開口部Ｒの上部Ｊに墨入れ線を引くとともに、ネジ止め用の下孔をあけ、上枠１と開口部Ｒの上部Ｊとの間にスペーサー２９を挟んで水平となるように調整し、上枠固定用のネジ１７により墨入れ線および下孔にあわせて上枠固定用の金具１６を取り付け、上枠固定用の金具１６から下方に垂下するボルト１８に、上枠１を下方から差し込んでナット１９で締め付けることにより、開口部Ｒへの上枠１の取り付けが完了する。
【００１３】
次に第２工程として、下枠吊り冶具５を下枠３に取り付ける手順について説明すると、図１および図２（ｂ）のように、下枠３の平面視した四隅に４本の下枠吊り冶具５を取り付けるが（図１参照）、下枠３に上吊り戸４ａ，４ｂ，４ｃが収まったときの戸先や戸尻の位置する箇所には、上吊り戸４ａ，４ｂ，４ｃの錠受けとなる錠座１４を設ける場合があり、図１のように、錠座１４を取り付けるときには、棒材７の取付用ネジ孔２４に下枠取付具８の下側の調整用ネジ孔２３ｂを一致して取付用ネジ１３ａでネジ止めし、下枠取付具８の当接部１２を錠座１４の上端部に当接するとともに、切欠部２６にて錠座固定用ネジ１３ｂにより錠座１４と一緒にレール溝１５の底部Ｕにネジ止めする。一方錠座１４のない箇所に下枠吊り冶具５を取り付けるときには、下枠取付具８の上側の調整用ネジ孔２３ａを棒材７の取付用ネジ孔２４と一致して取付用ネジ１３ａでネジ止めし、下枠取付具８の当接部１２を下枠３のレール溝１５の底部Ｕに当接して固定用ネジ１３ｃでネジ止めする。
【００１４】
次に第３工程として、下枠３を取り付けた下枠吊り冶具５を上枠１に取り付ける手順について説明すると図２（ｃ）のように、４本（図中では２本のみ示す）の下枠吊り冶具５を引き上げて下枠３を土間Ｇから持ち上げるとともに、上枠係止具６の係止部９をガイドレール２の上方に位置した後、下枠３を降ろして係止部９を上枠１の垂直状に起立するガイドレール２に対し、係止部９の下向きの凹部Ｐで上方から引っ掛けるようにして係止し、下枠吊り冶具５により上枠１から下枠３を吊り下げた状態とする。このときにガイドレール２の位置とレール溝１５の高さ方向の位置関係は、高さ方向の同一直線Ｑ上にあり（図３（ｂ）参照）、上枠１から下枠３を下枠吊り冶具５により吊り下げれば、上枠１と下枠３の取付位置の調整をほとんど要せずに、上吊り戸４ａ，４ｂ，４ｃを垂直に収めることができるようになっている。
【００１５】
次に第４工程として図２（ｄ）のように、下枠３の脚部２２の周りにモルタル２７を盛って位置決めした後、下枠３の下部全体にコンクリート２８を打ち、暫くの放置後にコンクリート２８が硬化したら、第５工程として図２（ｅ）のように、下枠３と下枠吊り冶具５から錠座固定用ネジ１３ｂおよび固定用ネジ１３ｃを外すとともに、ガイドレール２に係止する上枠係止具６を持ち上げて下枠吊り冶具５を上枠１と下枠３から取り外すことで、開口部Ｒへの上枠１と下枠３の取り付けが完了する。尚、錠座固定用ネジ１３ｂは、錠座１４の下枠３への固定をするものであるから、下枠吊り冶具５を外すときに錠座１４を下枠３に固定した状態を保ちながら一旦緩めた状態とし、下枠吊り冶具５を下枠３から外した後に再び締め込むこともできる。
【００１６】
ここで本施工手順に使用する下枠吊り冶具５の本数については、２本や３本であってもよい。下枠吊り冶具５の上枠１への取付箇所についても本実施形態では、上枠１の平面視した四隅から下枠３を吊り下げているが、例えば同一のガイドレール２の長手方向に間隔をあけた二箇所のみであったり、並列する複数のガイドレール２，２間（ガイドレール２と直交する位置、対角の位置）から下枠３を吊り下げても下枠３を安定して吊り下げることができる。上枠１のガイドレール２の本数については、本実施形態では３枚建て用上吊り戸として３本のものを示しているが、例えば１本や２本あるいは４本であってもよく、
下枠３のレール溝１５の本数についても同様に、収める上吊り戸の枚数に対応したものとなり、例えば１本や２本あるいは４本のものでもよい。
【００１７】
上枠係止具６の垂直方向あるいは下枠取付具８の垂直方向に複数の貫通孔を設け、一方棒材７の上端部と下端部における垂直方向においても複数の貫通孔を設けることで、棒材７と上枠係止具６、下枠取付具８の貫通孔同士を一致してネジ止めすれば、下枠吊り冶具５の長さを微調整することもできる。
【００１８】
上枠係止具６は、ガイドレール２を着脱自在に係止できる態様であれば、例えば係止部９を逆Ｌ字型に形成して屈曲部分によりガイドレール２に引っ掛けるものや、あるいは係止部９をＴ字型に形成して、両側に張り出した水平な部位を上枠１の２本のガイドレール２，２間に掛け渡すようなものであってもよい。またガイドレール２に係止するものの他、上枠係止具６はガイドレール２に対してネジ止めするものでもよい。また上枠係止具６と棒材７との取り付けについては、ネジ止めしてもよく、さらに、下枠取付具８を本実施形態の上枠係止具６の係止爪１０ａ，１０ｂに相当する爪状部にて棒材７に係止するものであってもよく、このことから着脱が可能なものであれば本実施形態に限るものではない。
【００１９】
本実施形態では、施工現場にて棒材７と下枠取付具８を取付用ネジ１３ａでネジ止めしているが、例えば図４（ａ）（ｂ）のように、あらかじめ棒材７に上枠係止具６と下枠取付具８を取り付けたものを用意しておき、下枠３の錠座１４およびレール溝１５の底部Ｕに、若干ヘッドを浮かして締め込みきらない状態にした錠座固定用ネジ１３ｂと固定用ネジ１３ｃを取り付けておき（図４（ａ）参照）、下枠取付具８の切欠部２６をスライドして錠座固定用ネジ１３ｂ，固定用ネジ１３ｃのヘッドに取り付けるような手順によっても本施工を進めることが可能である（図４（ｂ）参照）。また下枠３の脚部２２は、コンクリート２８を打ったときに下枠３の定着を容易にできるものであればよく、例えば、下枠３の下部からボルトを下方に向けて突出したような簡単なものであってもよい。
【図面の簡単な説明】
【００２０】
【図１】本発明のサッシの施工方法の途中の状態を示す斜視図である。
【図２】（ａ）（ｂ）（ｃ）（ｄ）（ｅ）は、本発明の上枠の取り付けから下枠の取り付けまでの施工手順を示す縦断面図である。
【図３】（ａ）は、本発明の施工方法により完成したサッシ枠において上吊り戸が収まった状態を示す横断面図、（ｂ）は縦断面図である。
【図４】（ａ）（ｂ）は、下枠吊り冶具を下枠に取り付けるときの他の実施例を示す縦断面図である。
【符号の説明】
【００２１】
１  上枠
２  ガイドレール
３  下枠
５  下枠吊り冶具
６  上枠係止具
７  棒材
８  下枠取付具
２８  コンクリート
Ｒ  開口部
【図１】
2008008046.tif 000003
【図２】
2008008046.tif 000004
【図３】
2008008046.tif 000005
【図４】
2008008046.tif 000006